(57)【要約】【課題】多機能化した遠隔操作部を用いながらも、頻繁に使用するキーの操作性を向上させることができる遠隔操作装置を提供する。【解決手段】所定のキーを有したカバー部材と、前記カバー部材が取り付けられた際に前記所定のキーによって覆われる複数のキーを有し、前記複数のキーのそれぞれに異なる機能が割り当てられる第１のモードと、前記複数のキーに同一の機能が割り当てられる第２のモードとを切替えることができる遠隔操作部と、を備える遠隔操作装置としている。【選択図】図７
2015192371.tif 000002
【特許請求の範囲】
【請求項１】
所定のキーを有したカバー部材と、
前記カバー部材が取り付けられた際に前記所定のキーによって覆われる複数のキーを有し、前記複数のキーのそれぞれに異なる機能が割り当てられる第１のモードと、前記複数のキーに同一の機能が割り当てられる第２のモードとを切替えることができる遠隔操作部と、
を備える遠隔操作装置。
【請求項２】
前記所定のキーの裏面に配され、前記複数のキーをそれぞれ押圧可能な位置に配される複数の押圧部を前記カバー部材は有することを特徴とする請求項１に記載の遠隔操作装置。
【請求項３】
前記同一の機能とは、所定パラメータを変化させる機能であり、前記複数のキーは、前記第２のモードにおいて前記所定パラメータを増加させる機能の副グループと減少させる機能の副グループとにグループ分けされていることを特徴とする請求項１または請求項２に記載の遠隔操作装置。
【請求項４】
前記複数のキーは、前記第２のモードにおいて割り当てられる機能と同一の機能が前記第１モードにおいて割当てられるキーを含むことを特徴とする請求項１〜請求項３のいずれか１項に記載の遠隔操作装置。
【請求項５】
前記カバー部材は少なくとも一つの押圧部を有し、前記カバー部材が前記遠隔操作部に取り付けられると前記遠隔操作部における１以上の特定のキーが前記押圧部により押圧されることで前記第１のモードから前記第２のモードへ切替えられることを特徴とする請求項１〜請求項４のいずれか１項に遠隔操作装置。
【請求項６】
前記押圧部の配置パターンは変更可能であり、前記配置パターンに応じて前記同一の機能が切替わることを特徴とする請求項５に記載の遠隔操作装置。
【請求項７】
前記遠隔操作部は切替スイッチを有し、前記切替スイッチが所定の位置に切替えられた状態で前記押圧部により前記特定のキーが押圧されると第２のモードへ切替わることを特徴とする請求項５または請求項６に記載の遠隔操作装置。
【請求項８】
前記カバー部材は、操作可能なキーとして、少なくとも一つの前記所定のキーのみを有していることを特徴とする請求項１〜請求項７のいずれか１項に記載の遠隔操作装置。
【発明の詳細な説明】
【技術分野】
【０００１】
本発明は、遠隔操作装置に関する。
【背景技術】
【０００２】
昨今、特に映像音声機器（テレビ装置、光ディスク装置など）の多機能化に伴い、リモコン装置の多機能化も進んでいる。しかしながら、リモコン装置が多機能化しても、実際にはユーザが使用するキーは一部であることも多い。
【０００３】
リモコン装置が多機能化しているためキーの数が多くなり、一つのキー形状が小さくなり、頻繁に使用するキーであってもユーザによってはキーを押し間違えたり、キーに表記されている文字（例えば電源キーに対する「電源」という文字など）が小さくて見づらいということもあった。
【先行技術文献】
【特許文献】
【０００４】
【特許文献１】特開２０１３−２３４７６５号公報
【発明の概要】
【発明が解決しようとする課題】
【０００５】
ここで、例えば特許文献１には、ユーザがよく使用する機能を給湯機用リモコン装置の前面に露出したカスタマイズ用操作キーに指定できるものが開示されている。しかしながら、このようなカスタマイズ用操作キーを上述したような多機能化したリモコン装置に適用した場合でも、カスタマイズ用操作キーが小さくなってしまい、上述したような問題点がやはり生じる。
【０００６】
上記状況に鑑み、本発明は、多機能化した遠隔操作部を用いながらも、頻繁に使用するキーの操作性を向上させることができる遠隔操作装置を提供することを目的とする。
【課題を解決するための手段】
【０００７】
上記目的を達成するために本発明の遠隔操作装置は、所定のキーを有したカバー部材と、前記カバー部材が取り付けられた際に前記所定のキーによって覆われる複数のキーを有し、前記複数のキーのそれぞれに異なる機能が割り当てられる第１のモードと、前記複数のキーに同一の機能が割り当てられる第２のモードとを切替えることができる遠隔操作部と、を備える構成としている。
【０００８】
このような構成によれば、カバー部材の所定のキーを大型化することができ、多機能化した遠隔操作部を用いたとしても、上記のようなカバー部材を取り付けて上記所定のキーを操作することで頻繁に使用する機能を発揮させることができ、操作性を向上させることができる。また、上記所定のキーに割り当てる機能の文字を表記する場合は、上記所定のキーの大型化により文字を大きくできるので、ユーザへの視認性を向上できる。
【０００９】
また、上記構成において、前記所定のキーの裏面に配され、前記複数のキーをそれぞれ押圧可能な位置に配される複数の押圧部を前記カバー部材は有することとしてもよい。
【００１０】
このような構成によれば、カバー部材の所定のキーを押圧した場合に、遠隔操作部における複数のキーをしっかりと押し込むことが可能となり、確実に機能を発揮させることができる。
【００１１】
また、上記いずれかの構成において、前記同一の機能とは、所定パラメータを変化させる機能であり、前記複数のキーは、前記第２のモードにおいて前記所定パラメータを増加させる機能の副グループと減少させる機能の副グループとにグループ分けされていることとしてもよい。
【００１２】
このような構成によれば、カバー部材の所定のキーを押圧する位置に応じて、所定パラメータ（例えばチャンネル番号や音量など）の増減を操作可能となる。
【００１３】
また、上記いずれかの構成において、前記複数のキーは、前記第２のモードにおいて割り当てられる機能と同一の機能が前記第１モードにおいて割当てられるキーを含むこととしてもよい。
【００１４】
このような構成によれば、第１のモードで所定の機能を操作する位置と、カバー部材で上記所定の機能と同一の機能を操作する位置とが類似するので、ユーザにとっての違和感を抑制できる。
【００１５】
また、上記いずれかの構成において、前記カバー部材は少なくとも一つの押圧部を有し、前記カバー部材が前記遠隔操作部に取り付けられると前記遠隔操作部における１以上の特定のキーが前記押圧部により押圧されることで前記第１のモードから前記第２のモードへ切替えられることとしてもよい。
【００１６】
このような構成によれば、カバー部材を遠隔操作部に取り付けることで所定のキーによる操作が可能となる。
【００１７】
また、上記構成において、前記押圧部の配置パターンは変更可能であり、前記配置パターンに応じて前記同一の機能が切替わることとしてもよい。
【００１８】
このような構成によれば、一つのカバー部材において押圧部の配置パターンを変更することで、所定のキーに割り当てる機能を変更することが可能となる。従って、ユーザの嗜好に合わせた使用が可能となる。
【００１９】
また、上記いずれかの構成において、前記遠隔操作部は切替スイッチを有し、前記切替スイッチが所定の位置に切替えられた状態で前記押圧部により前記特定のキーが押圧されると第２のモードへ切替わることとしてもよい。
【００２０】
このような構成によれば、切替スイッチを所定の位置に切替えて、カバー部材を遠隔操作部に取り付ければ、所定のキーによる操作が可能となる。
【００２１】
また、上記いずれかの構成において、前記カバー部材は、操作可能なキーとして、少なくとも一つの前記所定のキーのみを有していることとしてもよい。
【００２２】
このような構成によれば、多機能化した遠隔操作部を用いながらも、カバー部材においてキーの数の簡素化が可能となる。従って、ユーザは迷うことなくキー操作が可能となる。
【発明の効果】
【００２３】
本発明の遠隔操作装置によると、多機能化した遠隔操作部を用いながらも、頻繁に使用するキーの操作性を向上させることができる。
【図面の簡単な説明】
【００２４】
【図１】本発明の第１実施形態に係るリモコン装置の概略分解斜視図である。
【図２】本発明の第１実施形態に係るリモコン装置の上面図である。
【図３】本発明の第１実施形態に係るリモコン装置の概略電気的構成を示すブロック図である。
【図４】本発明の第１実施形態に係るカバーユニットの概略分解斜視図である。
【図５Ａ】本発明の第１実施形態に係るカバーユニットが備えるラバーシートの一部拡大斜視図である。
【図５Ｂ】図５ＡにおいてＡ方向から視た場合の概略一部断面図である。
【図５Ｃ】カバーユニットが備えるラバーシートに関する構造の変形例を示す図である。
【図６】本発明の第１実施形態に係るカバーユニットの上面図である。
【図７】本発明の第１実施形態に係る遠隔操作装置の上面図である。
【図８Ａ】本発明の第１実施形態に係る遠隔操作装置の概略側面断面図である。
【図８Ｂ】本発明の第１実施形態に係る遠隔操作装置の概略側面断面図である。
【図９】本発明の第２実施形態に係る遠隔操作装置の概略側面断面図である。
【図１０】本発明の第２実施形態に係るカバーユニットの上面図である。
【図１１】本発明の第２実施形態に係る遠隔操作装置の上面図である。
【発明を実施するための形態】
【００２５】
＜第１実施形態＞
以下に本発明の一実施形態について図面を参照して説明する。本発明の第１実施形態に係るリモコン装置（遠隔操作部の一例）の概略分解斜視図を図１に示す。また、本発明の第１実施形態に係るリモコン装置の上面図を図２に示す。図１及び図２に示すリモコン装置１０は、テレビ装置を操作するためのリモコン装置である。
【００２６】
図１に示すリモコン装置１０は、ボトムケース１と、プリント基板２と、ラバーシート６と、トップケース７を備えている。プリント基板２及びラバーシート６は、ボトムケース１及びトップケース７が組み合わさって構成される筐体内に収納される。
【００２７】
ボトムケース１に設けられる支持部材１１に支持されるプリント基板２上には、接点パターン３が形成される。また、プリント基板２上には、接点パターン３と電気的接続されるマイコン４が実装されると共に、マイコン４に電気的接続される赤外ＬＥＤ５も実装される。
【００２８】
複数のファンクションキー６１を一体成形により備えたラバーシート６は、プリント基板２を覆うように配置される。そして、複数の各ファンクションキー６１は、トップケース７に設けられた対応する複数の各孔部７１を挿通されて上面に露出される。
【００２９】
図２の上面図に示すように、複数の各ファンクションキー６１がトップケース７の各孔部７１を介して表面に露出されている。ラバーシート６（図１）は、ファンクションキー６１として、例えば、入力切替キー６１Ａ、電源キー６１Ｂ、地上波キー６１Ｃ、ＢＳ放送キー６１Ｄ、ＣＳ放送キー６１Ｅ、３桁入力キー６１Ｆ、数字７キー６１Ｇ、数字１０キー６１Ｈ、数字９キー６１Ｉ、数字１２キー６１Ｊ、チャンネルアップダウンキー６１Ｋ、音量アップダウンキー６１Ｌ、インターネットキー６１Ｍ、番組内容表示キー６１Ｎ、音声切替キー６１Ｏ、及び番組表表示キー６１Ｐを備えている。
【００３０】
リモコン装置１０の概略電気的ブロック構成を図３に示す。ラバーシート６の各ファンクションキー６１の裏面（下面）には接点部（図１で不図示）が形成されており、ファンクションキー６１が表面から押圧されると、ファンクションキー６１の裏面と共に接点部が接点パターン３に接近する。そして、接点部が接点パターン３に接触したパターンに応じた電気信号がマイコン４に出力されるので、マイコン４はこの電気信号に基づきいずれのファンクションキー６１が押圧されたかを検出できる。マイコン４は、上記電気信号に応じたコマンドを赤外ＬＥＤ５を介して送信する。
【００３１】
次に、このようなリモコン装置１０の上面を覆うように取り付けることが可能なカバーユニットについて説明する。本実施形態に係るカバーユニット（カバー部材の一例）の概略分解斜視図を図４に示す。
【００３２】
図４に示すカバーユニット１５は、ケース９と、ケース９内に固定されるラバーシート８を備えている。一体成型品であるラバーシート８には、３つのファンクションキー８１が設けられる。
【００３３】
ラバーシート８の一部の概略斜視図を図５Ａに示す。図５Ａには、ファンクションキー８１のうち電源キー８１Ａ及びチャンネルアップダウンキー８１Ｂに関する構成を示している。電源キー８１Ａの表面には「電源」という表記がされている。また、電源キー８１Ａの下面には各押圧部８２Ａ〜８２Ｆが配置される。なお、押圧部８２Ｆは、図５においては隠れて見えないので図示していない。
【００３４】
ここで、図５Ｂに、図５ＡにおいてＡ方向から視た場合の概略一部断面図を示す。電源キー８１Ａの下面の外縁部は、ラバーシート８の平板部８０１と接続部８０２によって接続されている。即ち、接続部８０２によって囲まれる開口部内に押圧部８２Ａ〜８２Ｆが配置されることになる。これらの電源キー８１Ａ、押圧部８２Ａ〜８２Ｆ、平板部８０１、及び接続部８０２は一体成型される。接続部８０２は厚みを薄く形成されるので、電源キー８１Ａの表面（「電源」と表記された面）が押圧されると、各押圧部８２Ａ〜８２Ｆが押し込まれて、各押圧部８２Ａ〜８２Ｆの裏面が下方向へ移動する。
【００３５】
チャンネルアップダウンキー８１Ｂの表面には「チャンネル」という表記がされている。また、チャンネルアップダウンキー８１Ｂの下面には各押圧部８２Ｇ〜８２Ｌが配置される。チャンネルアップダウンキー８１Ｂと平板部８０１との接続構造は上述した電源キー８１Ａと同様である。これにより、チャンネルアップダウンキー８１Ｂの表面のうちチャンネルアップ側が押圧されると、各押圧部８２Ｇ〜８２Ｉが押し込まれて、各押圧部８２Ｇ〜８２Ｉの裏面が下方向へ移動する。一方、チャンネルアップダウンキー８１Ｂの表面のうちチャンネルダウン側が押圧されると、各押圧部８２Ｊ〜８２Ｌが押し込まれて、各押圧部８２Ｊ〜８２Ｌの裏面が下方向へ移動する。
【００３６】
なお、図５Ａでは不図示であるファンクションキーの音量アップダウンキー（図６では図示）に関しても、チャンネルアップダウンキー８１Ｂと同様の構造を有している。
【００３７】
３つの各ファンクションキー８１がケース９に設けられた対応する各孔部９１を挿通されて表面に露出されるように、ラバーシート８がケース９に取り付けられる（図４）。図６に、カバーユニット１５の上面図を示す。ファンクションキーとして、電源キー８１Ａ、チャンネルアップダウンキー８１Ｂ、及び音量アップダウンキー８１Ｃが、各孔部９１を介して表面に露出される。電源キー９１と同様、チャンネルアップダウンキー８１Ｂ、及び音量アップダウンキー８１Ｃの表面にも機能を示す文字が表記される。
【００３８】
このようなカバーユニット１５は、リモコン装置１０に取り付けて使用する。カバーユニット１５をリモコン装置１０の上面を覆うように取り付けたところの上面図を図７に示す。なお、カバーユニット１５とリモコン装置１０とから遠隔操作装置２０が構成される。
【００３９】
図７では、リモコン装置１０が有する各ファンクションキー６１を便宜上、透過的に図示している。図７に示す状態で、例えば電源キー８１Ａの裏面に配された押圧部８２Ａ（図５）は地上波キー６１Ｃを、押圧部８２ＢはＢＳ放送キー６１Ｄを、押圧部８２ＣはＣＳ放送キー６１Ｅを、押圧部８２Ｄは３桁入力キー６１Ｆを、押圧部８２Ｅは入力切替キー６１Ａを、押圧部８２Ｆは電源キー６１Ｂをそれぞれ押圧可能な位置に配される。即ち、電源キー８１Ａは、入力切替キー６１Ａ、電源キー６１Ｂ、地上波キー６１Ｃ、ＢＳ放送キー６１Ｄ、ＣＳ放送キー６１Ｅ、及び３桁入力キー６１Ｆを覆う形となる。
【００４０】
同様に、図７の状態で、チャンネルアップダウンキー８１Ｂの裏面に配された押圧部８２Ｇ〜８２Ｌ（図５Ａ）は、それぞれ数字７キー６１Ｇ、数字１０キー６１Ｈ、チャンネルアップダウンキー６１Ｋ、インターネットキー６１Ｍ、及び番組内容表示キー６１Ｎを押圧可能な位置に配される。即ち、チャンネルアップダウンキー８１Ｂは、数字７キー６１Ｇ、数字１０キー６１Ｈ、チャンネルアップダウンキー６１Ｋ、インターネットキー６１Ｍ、及び番組内容表示キー６１Ｎを覆う形となる。
【００４１】
更に同様に、図７の状態で、音量アップダウンキー８１Ｃの裏面に配された押圧部（６つの押圧部）は、それぞれ数字９キー６１Ｉ、数字１２キー６１Ｊ、音量アップダウンキー６１Ｌ、音声切替キー６１Ｏ、及び番組表表示キー６１Ｐを押圧可能な位置に配される。
【００４２】
ここで、本実施形態に係るカバーユニット１５の使用手順について説明する。
【００４３】
まず、カバーユニット１５を取り付けていない状態で、リモコン装置１０において、所定の一つのキーを押圧しながら、他の所定の一つのキーを連打する（例えば、数字１キーを押圧しながら、数字３キーを連打するなど）。すると、マイコン４（図３）がこれを検知し、マイコン４は、各ファンクションキー６１に異なる機能が割り当てられた第１のモード（通常モード）から第２のモードへ切替わる。第２のモードにおいては、特定の複数のキーに同一の機能が割り当てられる。
【００４４】
例えば、入力切替キー６１Ａ、電源キー６１Ｂ、地上波キー６１Ｃ、ＢＳ放送キー６１Ｄ、ＣＳ放送キー６１Ｅ、及び３桁入力キー６１Ｆ（即ち、電源キー８１Ａに対応するファンクションキー）に同一の電源オンオフ機能が割り当てられる。これらのキーの少なくともいずれかが押圧されると、マイコン４は電源オンオフ用のコマンドを赤外ＬＥＤ５から送信する。
【００４５】
同様に、数字７キー６１Ｇ、数字１０キー６１Ｈ、チャンネルアップダウンキー６１Ｋ、インターネットキー６１Ｍ、及び番組内容表示キー６１Ｎ（即ち、チャンネルアップダウンキー８１Ｂに対応するファンクションキー）に同一のチャンネル変更機能が割り当てられる。数字７キー６１Ｇ、数字１０キー６１Ｈ、及びチャンネルアップダウンキー６１Ｋのチャンネルアップ側の少なくともいずれかが押圧されると、マイコン４はチャンネルアップ用のコマンドを赤外ＬＥＤ５から送信する。また、チャンネルアップダウンキー６１Ｋのチャンネルダウン側、インターネットキー６１Ｍ、及び番組内容表示キー６１Ｎの少なくともいずれかが押圧されると、マイコン４はチャンネルダウン用のコマンドを赤外ＬＥＤ５から送信する。
【００４６】
更に同様に、数字９キー６１Ｉ、数字１２キー６１Ｊ、音量アップダウンキー６１Ｌ、音声切替キー６１Ｏ、及び番組表表示キー６１Ｐ（即ち、音量アップダウンキー８１Ｃに対応するファンクションキー）に同一の音量変更機能が割り当てられる。数字９キー６１Ｉ、数字１２キー６１Ｊ、及び音量アップダウンキー６１Ｌの音量アップ側の少なくともいずれかが押圧されると、マイコン４は音量アップ用のコマンドを赤外ＬＥＤ５から送信する。また、音量アップダウンキー６１Ｌの音量ダウン側、音声切替キー６１Ｏ、及び番組表表示キー６１Ｐの少なくともいずれかが押圧されると、マイコン４は音量ダウン用のコマンドを赤外ＬＥＤ５から送信する。
【００４７】
このようにリモコン装置１０を第２モードに移行させた後、カバーユニット１５をリモコン装置１０に取り付ける。カバーユニット１５を取り付けた状態の概略側面断面図を図８Ａに示す。図８Ａは、カバーユニット１５のファンクションキー８１を押圧していない状態を示す。
【００４８】
図８Ａの状態で、カバーユニット１５の各ファンクションキー８１（電源キー８１Ａ等）の裏面に配される押圧部（押圧部８２Ａ、８２Ｅ等）の裏面は、リモコン装置１０の対応する各ファンクションキー６１の表面を押圧しないよう当該表面に接触する（又は、当該表面から若干浮いていてもよい）。
【００４９】
ここで、各ファンクションキー８１を押圧すると、図８Ｂに一例を示すように、押圧されたファンクションキー８１に対応する押圧部が押下げられ、それに従って対応する各ファンクションキー６１が押下げられる。そして、押下げられた各ファンクションキー６１の裏面に形成された各接点部Ｓが、プリント基板２上の接点パターン３に接近して接触する。
【００５０】
図８Ｂは、電源キー８１Ａを押圧した場合を示し、この場合、各押圧部８２Ａ〜８２Ｆの裏面が下がり、それに従って対応する入力切替キー６１Ａ、電源キー６１Ｂ、地上波キー６１Ｃ、ＢＳ放送キー６１Ｄ、ＣＳ放送キー６１Ｅ、及び３桁入力キー６１Ｆが押下げられる。そして、これらの各ファンクションキーの裏面に形成された各接点部Ｓが、プリント基板２上の接点パターン３に接近して接触する。
【００５１】
すると、第２モードに移行しているので、マイコン４は、電源オンオフ用のコマンドを赤外ＬＥＤ５から送信する。
【００５２】
同様に、チャンネルアップダウンキー８１Ｂのチャンネルアップ側（図８Ａの紙面左側）を押圧した場合は、数字７キー６１Ｇ、数字１０キー６１Ｈ、チャンネルアップダウンキー６１Ｋのチャンネルアップ側が押下げられ、これらのファンクションキーの裏面に設けられた各接点部Ｓが接点パターン３に接触する。すると、マイコン４は、チャンネルアップ用のコマンドを赤外ＬＥＤ５から送信する。チャンネルアップダウンキー８１Ｂのチャンネルダウン側（図８Ａの紙面右側）を押圧した場合は、チャンネルアップダウンキー６１Ｋのチャンネルダウン側、インターネットキー６１Ｍ、及び番組内容表示キー６１Ｎが押下げられ、これらのファンクションキーの裏面に設けられた各接点部Ｓが接点パターン３に接触する。すると、マイコン４は、チャンネルダウン用のコマンドを赤外ＬＥＤ５から送信する。
【００５３】
更に同様に、音量アップダウンキー８１Ｃの音量アップ側を押圧した場合は、数字９キー６１Ｉ、数字１２キー６１Ｊ、及び音量アップダウンキー６１Ｌの音量アップ側が押下げられ、これらのファンクションキーの裏面に設けられた各接点部Ｓが接点パターン３に接触する。すると、マイコン４は、音量アップ用のコマンドを赤外ＬＥＤ５から送信する。また、音量アップダウンキー８１Ｃの音量ダウン側を押圧した場合は、音量アップダウンキー６１Ｌの音量ダウン側、音声切替キー６１Ｏ、及び番組表表示キー６１Ｐが押下げられ、これらのファンクションキーの裏面に設けられた各接点部Ｓが接点パターン３に接触する。すると、マイコン４は、音量ダウン用のコマンドを赤外ＬＥＤ５から送信する。
【００５４】
このように、本実施形態では、カバーユニット１５のファンクションキー８１に対応して、リモコン装置１０における特定の複数のファンクションキー６１に同一の機能を割り当てる第２モードを有することとしたので、ファンクションキー８１を大型化することが可能となる。従って、頻繁に使用する機能である電源オンオフ、チャンネル変更、音量変更機能が割り当てられた各ファンクションキー８１の操作性を向上させることができる。また、ファンクションキー８１の大型化により、表面に表記する文字を大きくすることができ、ユーザはファンクションキー８１の認識を行い易い。また、カバーユニット１５においては、操作できるキーとして３つのファンクションキー８１のみにしているので、キーの数を簡素化することができる。
【００５５】
なお、例えばリモコン装置１０における電源キー６１Ｂの位置に対応させてカバーユニット１５の電源キー８１Ａを設けており、これはユーザへの違和感を抑制するためであるが、例えば電源キー８１Ａをリモコン装置１０における電源キー６１Ｂとは関係のないファンクションキー６１の位置に設けるようにしてもよい。
【００５６】
また、例えば３つのファンクションキー８１のうち電源キー８１Ａのみは、電源キー６１Ｂのみに対応させ、電源キー６１Ｂとほぼ同じ大きさである小さなキーとして設けるようにしてもよい。
【００５７】
また、ラバーシート８の構成としては、例えば図５Ｃに示すような構成とすることも可能である。図５Ｃでは、各押圧部８２Ａ等を平板部８０１の表面側に配置させ、各押圧部８２Ａ等の下面の外縁部は平板部８０１と厚みの薄い接続部により接続させる。そして、ラバーシート８とは別体として例えばプラスチックで形成されたファンクションキー８１（電源キー８１Ａ等）を各押圧部８２Ａ等の上面に接着等して固定する。これによっても、ファンクションキー８１を押下げたときに対応する押圧部を押下げることができる。
【００５８】
＜第２実施形態＞
次に、上記第１実施形態の変形例としての第２実施形態に関して説明する。本実施形態では、第１モードから第２モードへの移行の方法が異なる。
【００５９】
本実施形態では、図９に一例を示すように、カバーユニット１５’をリモコン装置１０に取り付けた状態で、リモコン装置１０の特定の複数のファンクションキー６１を押圧するような複数の押圧部８３をカバーユニット１５’に設ける。押圧部８３は、例えばケース９と一体成型された柱状の部材とする。
【００６０】
図９では、例えば一つの押圧部８３が数字１キー６１Ｑを押圧し、別の２つの押圧部８３（図９では紙面奥側に位置）がそれぞれ数字２キーと数字３キー（図２）を押圧する（即ち３つの押圧部８３を備える）。これにより、カバーユニット１５’をリモコン装置１０に取り付けると、自動的にマイコン４が第２モードへ切替わる。従って、ファンクションキー８１を機能させることができる。
【００６１】
また、上記のようなカバーユニット１５’とは別の図１０に示すカバーユニット１５ ’ ’も上記のような押圧部（不図示）を複数有しているとする。図１１は、カバーユニット１５’ ’をリモコン装置１０に取り付けた状態を示す上面図である。この複数の押圧部は、カバーユニット１５’ ’をリモコン装置１０に取り付けた際に、カバーユニット１５’の押圧部８３とは別のパターンにてリモコン装置１０のファンクションキー６１を押圧する。例えば、２つの押圧部とし、一つの押圧部が数字１キー６１Ｑを押圧し、別の一つの押圧部が数字２キーを押圧するなどである。
【００６２】
これにより、リモコン装置１０のマイコン４は、カバーユニット１５’用とは別の第２モードに移行する。この第２モードでは、カバーユニット１５ ’ ’の各ファンクションキー８１’ ’Ａ〜８１’ ’Ｅに対応したリモコン装置１０の特定の複数のファンクションキー６１に同一の特定の機能が割り当てられる。
【００６３】
例えば、ファンクションキー８１’ ’Ａに対応する複数のファンクションキー６１には電源オンオフ機能が、ファンクションキー８１’ ’Ｂに対応する複数のファンクションキー６１には音量アップ機能が、ファンクションキー８１’ ’Ｄに対応する複数のファンクションキー６１には音量ダウン機能が、ファンクションキー８１’ ’Ｃに対応する複数のファンクションキー６１にはチャンネルアップ機能が、ファンクションキー８１’ ’Ｅに対応する複数のファンクションキー６１にはチャンネルダウン機能が割り当てられる。
【００６４】
これにより、一つのリモコン装置１０について、異なるカバーユニットを使用することが可能となる。
【００６５】
また、本実施形態の変形例として、カバーユニットにおいて例えば押圧部８３を若干短くしたような柱状部を複数設け、これらの各柱状部の先端に設けられた孔部に押圧部が着脱可能に差し込まれる形態としてもよい。これにより、押圧部の差込み位置に応じてリモコン装置１０のファンクションキー６１の押圧パターンを変えることができる。
【００６６】
このような形態をカバーユニット１５’ ’（図１０）に適用し、例えば数字１キーと数字２キーを押圧するよう押圧部の差込み位置を調整した場合には、マイコン４は所定の第２モードに移行する。当該第２モードでは、例えば先述したような例の複数のファンクションキー６１への機能割当てが行われる。また、例えば数字１キー、数字２キー、及び数字３キーを押圧するよう押圧部の差込み位置を調整した場合には、マイコン４は別の第２モードに移行する。当該第２モードでは、先とは別のパターンにて複数のファンクションキー６１への機能割当てが行われる。
【００６７】
これにより、一つのカバーユニットにおいて、ユーザの嗜好に合わせてファンクションキーの機能割当てを変更することができる。
【００６８】
＜第３実施形態＞
次に、上記第１実施形態と第２実施形態の変形例としての第３実施形態について説明する。本実施形態では、第１モードと第２モードを切替えるスライドスイッチ（切替スイッチの一例）をリモコン装置１０に設ける。これにより、スライドスイッチが第２モードに対応する位置に切替えられている場合、カバーユニット１５をリモコン装置１０に取り付けてファンクションキー８１を利用することができる。
【００６９】
また、スライドスイッチが第２モードに対応する位置に切替えられている場合に、上記第２実施形態のように異なるカバーユニットの異なる押圧部のパターンに応じて第２モードを切替えてもよい。また、スライドスイッチが第２モードに対応する位置に切替えられている場合に、上記第２実施形態のように同じカバーユニットにおいて変更される押圧部の差込み位置パターンに応じて第２モードを切替えてもよい。これらの場合、押圧部は複数に限らず、一つのみ設けるようにしてもよい。
【００７０】
以上、本発明の実施形態について説明したが、本発明の趣旨の範囲内であれば、実施形態は種々の変形が可能である。
【００７１】
例えば、上記第２実施形態において、リモコン装置１０においてファンクションキー６１の長押しが検出可能である場合は、カバーユニットに設けられる押圧部は一つのみとして、当該押圧部により一つの特定のファンクションキー６１が長押しされると、第２モードへ移行することとしてもよい。
【符号の説明】
【００７２】
１  ボトムケース
２  プリント基板
３  接点パターン
４  マイコン
５  赤外ＬＥＤ
６  ラバーシート
６１  ファンクションキー
７  トップケース
１０  リモコン装置
８  ラバーシート
８１  ファンクションキー
８１Ａ  電源キー
８２Ａ〜８２Ｌ  押圧部
８１Ｂ  チャンネルアップダウンキー
８１Ｃ  音量アップダウンキー
９  ケース
１５  カバーユニット
２０  遠隔操作装置
Ｓ  接点部
８３  押圧部
【図１】
2015192371.tif 000003
【図２】
2015192371.tif 000004
【図３】
2015192371.tif 000005
【図４】
2015192371.tif 000006
【図５Ａ】
2015192371.tif 000007
【図５Ｂ】
2015192371.tif 000008
【図５Ｃ】
2015192371.tif 000009
【図６】
2015192371.tif 000010
【図７】
2015192371.tif 000011
【図８Ａ】
2015192371.tif 000012
【図８Ｂ】
2015192371.tif 000013
【図９】
2015192371.tif 000014
【図１０】
2015192371.tif 000015
【図１１】
2015192371.tif 000016